(57)【要約】【課題】ファイルサイズ等の制限を受けることなく、記録媒体に任意のファイルシステムで記録することができ、さらにファイルのオープン、クローズをより高速で行なうことのできる映像信号記録再生装置を提供することを目的とする。【解決手段】分割情報生成部１０３は入力された符号化情報、データ記録部１０４から入力された記録情報より、オブジェクトをベースファイルとよばれる小ファイルに分割するための分割情報を生成する。分割情報はデータ記録部１０４に入力され、データ記録部１０４は入力された圧縮ストリーム、管理情報、及び分割情報を記録媒体１０５に記録する。このとき圧縮ストリームはベースファイル単位で記録される。圧縮ストリームを小さなベースファイルに分割して記録することで、ファイルサイズ等の制限を受けることなく、記録媒体に任意のファイルシステムで記録することが可能となる。【選択図】  図１
2004172813.tif 000002
【特許請求の範囲】
【請求項１】
入力された映像信号に対し圧縮処理を行い生成された圧縮ストリームと、前記映像信号と前記圧縮ストリームより生成された管理情報と、番組の基本単位であるオブジェクトを、記録媒体への記録の基本単位であるベースファイルに分割するための分割情報を、前記分割情報に基づき記録媒体に記録することを特徴とした映像信号記録方法。
【請求項２】
入力された映像信号に対し圧縮処理を行い生成された圧縮ストリームと、前記映像信号と前記圧縮ストリームより生成された管理情報と、番組の基本単位であるオブジェクトを、記録媒体への記録の基本単位であるベースファイルに分割するための分割情報を、前記分割情報に基づき記録媒体に記録するとともに、前記圧縮ストリーム、前記管理情報、及び前記分割情報より再生処理を行なうことを特徴とした映像信号記録再生方法。
【請求項３】
入力された映像信号に対し圧縮処理を行い圧縮ストリームを生成する符号化部と、前記映像信号と前記圧縮ストリームより管理情報を生成する管理情報生成部と、番組の基本単位であるオブジェクトを、記録媒体への記録の基本単位であるベースファイルに分割する分割情報を生成する分割情報生成部と、前記管理情報と前記分割情報と前記圧縮ストリームを前記分割情報に基づき記録媒体に記録する記録部と、前記記録媒体に記録された、前記圧縮ストリーム、前記管理情報、及び前記分割情報を取得する再生部と、前記圧縮ストリーム、前記管理情報、及び前記分割情報により再生処理を行なう復号化部を備えることを特徴とした映像信号記録再生装置。
【請求項４】
分割情報生成部において、ベースファイルのファイル名は、前記ベースファイル毎に設定されるファイルＩＤより一意的に決定され、前記ファイルＩＤは任意の範囲内で単調増加することを特徴とした請求項３記載の映像信号記録再生装置。
【請求項５】
分割情報生成部が、分割情報として、次に記録されるベースファイルのファイルＩＤを持つことを特徴とした請求項３記載の映像信号記録再生装置。
【請求項６】
分割情報生成部が、分割情報として、次に記録されるオブジェクトのオブジェクトＩＤを持つことを特徴とした請求項３記載の映像信号記録再生装置。
【請求項７】
分割情報生成部が、分割情報として、現在記録されているオブジェクトの総記録サイズを持つことを特徴とした請求項３記載の映像信号記録再生装置。
【請求項８】
分割情報生成部が、分割情報として、当該オブジェクトのオブジェクトＩＤを持つことを特徴とした請求項３記載の映像信号記録再生装置。
【請求項９】
分割情報生成部が、分割情報として、当該オブジェクトを構成しているベースファイルのうち先頭ベースファイルのファイルＩＤ、及び当該オブジェクトを構成しているベースファイルの総数を持つことを特徴とした請求項３記載の映像信号記録再生装置。
【請求項１０】
分割情報生成部が、分割情報として、当該オブジェクトの総記録サイズを持つことを特徴とした請求項３記載の映像信号記録再生装置。
【請求項１１】
分割情報生成部が、分割情報として、当該オブジェクトが有効となる先頭ベースファイルからの位置、及び当該オブジェクトを構成しているベースファイルのうち最終である最終ベースファイルからの位置を持つことを特徴とした請求項３記載の映像信号記録再生装置。
【請求項１２】
分割情報生成部が、分割情報として、当該オブジェクトが記録されているディレクトリを持つことを特徴とした請求項３記載の映像信号記録再生装置。
【請求項１３】
記録部が、分割情報の記録用ファイルとして、第１の分割情報ファイルと第２の分割情報ファイルを用意し、前記第１の分割情報ファイルへの前記分割情報の記録において、バッファ内の全データを書き出し、続いてカウンタを記録し、続いてバッファ内の全データを書き出し、続いて分割情報を書き出し、続いて前記カウンタを記録し、前記第２の分割情報ファイルへの前記分割情報の記録において、バッファ内の全データを書き出し、続いてカウンタを記録し、続いてバッファ内の全データを書き出し、続いて分割情報を書き出し、続いて前記カウンタを記録し、再生部が、前記分割情報の読み込み時に、前記カウンタの値を比較し、読み込む分割情報ファイルを決定することを特徴とした請求項３記載の映像信号記録再生装置。
【請求項１４】
符号化部が、入力された映像信号に対し圧縮処理を行い圧縮ストリームを生成し、前記圧縮ストリームに対し暗号化処理を行ない、記録媒体に記録する映像信号記録再生装置であって、映像ストリームに対する暗号化処理を行なうビット数をＢＶ、音声ストリームに対する暗号化処理を行なうビット数をＢＡとするとき、ＢＡ≧ＢＶであることを特徴とする映像信号記録再生装置。
【請求項１５】
入力された映像信号に対し圧縮処理を行い圧縮ストリームを生成し、前記圧縮ストリームを記録媒体に記録する映像信号記録再生装置であって、前記圧縮ストリームをネットワーク経由で情報処理装置等で再生する系において、複製禁止であるオブジェクトを、複製可能であるオブジェクトとは異なる複製禁止用ディレクトリに記録し、前記複製禁止用ディレクトリを、前記ネットワークにおいてマウント処理を行なわないことを特徴とする請求項３記載の映像信号記録再生装置。
【発明の詳細な説明】
【０００１】
【発明の属する技術分野】
本発明は映像信号を記録、再生する映像信号記録再生装置、及び映像ファイルを効率的に管理する映像信号記録再生方法に関する。
【０００２】
【従来の技術】
従来、映像信号を記録、再生する映像信号記録再生装置には、記録型ＤＶＤ方式としてＤＶＤ−ＶＲ（ＤＶＤ−Ｖｉｄｅｏ  Ｒｅｃｏｒｄｉｎｇ）方式のものがある（例えば、非特許文献１参照）。これはＤＶＤディスクに記録されたＰＧ（番組）に対し特殊再生、編集、管理等が可能な方式であり、そのデータ構造（ファイルシステム）はＵＤＦ（Ｕｎｉｖｅｒｓａｌ  Ｄｉｓｃ  Ｆｏｒｍａｔ）２．０に限定されている。
【０００３】
図８に従来の映像信号記録再生装置のブロック図を、図９にＤＶＤディスクの管理情報のデータ構造図を示す。図８において、７００は入力部、７０１は符号化部、７０２は管理情報生成部、７０３は記録部、７０４は記録媒体、７０５は再生部、７０６は復号化部、７０７は出力部である。図９において、７１０〜７１４は管理情報として記録されるデータである。
【０００４】
以上のように構成された映像信号記録再生装置について、その動作を説明する。
【０００５】
入力部７００より入力された画像信号は符号化部７０１に入力される。
【０００６】
記録時において、符号化部７０１は入力画像に高能率符号化を行ない圧縮ストリーム、及び符号化情報を出力する。符号化情報は管理情報生成部７０２に、圧縮ストリームは記録部７０３にそれぞれ入力される。
【０００７】
管理情報生成部７０２は入力された符号化情報より管理情報を生成する。管理情報は記録部７０３に入力される。
【０００８】
記録部７０３は入力された圧縮ストリーム、及び管理情報を記録媒体７０４に記録する。
【０００９】
再生時において、再生部７０５は記録媒体７０４より圧縮ストリーム、及び管理情報を読み出す。読み出した圧縮ストリーム、及び管理情報は復号化部７０６に入力される。復号化部７０６は入力された圧縮ストリーム、及び管理情報を行ない、再生画像を出力する。
【００１０】
再生画像は出力部７０７に入力され、出力部７０７は入力された再生画像を表示系にて表示する。
【００１１】
ＶＲフォーマットでは、７１０〜７１４の５つのファイルで構成されている。ＶＲ＿ＭＡＮＧＲ．ＩＦＯであるファイル７１０には映像ファイルの管理情報が記録されている。ＶＲ＿ＭＯＶＩＥ．ＶＲＯであるファイル７１１には動画の圧縮ストリームが記録されている。ＶＲ＿ＳＴＩＬＬ．ＶＲＯであるファイル７１２には静止画データが記録されている。ＶＲ＿ＡＵＤＩＯ．ＶＲＯであるファイル７１３にはアフレコ用の音声データが、ＶＲ＿ＭＡＮＧＲ．ＢＵＰであるファイル７１４にはＶＲ＿ＭＡＮＧＲ．ＩＦＯの内容がバックアップとして記録されている。
【００１２】
【非特許文献１】
ＤＶＤ  Ｆｏｒｕｍ、“ＤＶＤ  Ｓｐｅｃｉｆｉｃａｔｉｏｎｓ  ｆｏｒＲｅｗｒｉｔａｂｌｅ／Ｒｅ−Ｒｅｃｏｒｄｉｎｇ  Ｄｉｓｃｓ  Ｐａｒｔ３：Ｖｉｄｅｏ  Ｒｅｃｏｒｄｉｎｇ  Ｖｅｒｓｉｏｎ１．０”Ｓｅｐｔｅｍｂｅｒ  １９９９
【００１３】
【発明が解決しようとする課題】
しかしながら、従来の映像信号記録再生装置におけるＶＲ方式は前記ＵＤＦ２．０を前提としているため、ＶＲ方式を他のファイルシステムに応用する場合には多くの課題があった。例えばＶＲ方式では動画の圧縮ストリームをＶＲ＿ＭＯＶＩＥ．ＶＲＯの１つのファイルに記録するが、このファイルは最大で４ＧＢを越える。ＰＣ（パーソナルコンピュータ）等で採用されているファイルシステムではファイルサイズに制限があり、最大４ＧＢのＶＲ＿ＭＯＶＩＥ．ＶＲＯファイルを取り扱えないことがある。また、ＶＲ方式ではＤＶＤディスクのシーク性能の問題から、シームレスなリード／ライトが確保できるようにＤＶＤディスク上の記録領域を決定するＣＤＡ（Ｃｏｎｔｉｇｕｏｕｓ  Ｄａｔａ  Ａｒｅａ）アルゴリズムを用いており、これにより記録レートの上限が決定されていた。しかしＨＤＤ（ハードディスクドライブ）のようなシーク速度がＤＶＤディスクより高速な記録媒体に対してはＣＤＡ、さらにはＣＤＡによる記録レート制限は不要であり、これがあるために記録レートを向上させられなかった。
【００１４】
本発明は上記従来の課題を解決するもので、ファイルサイズ等の制限を受けることなく、記録媒体に任意のファイルシステムで記録することができ、さらにファイルのオープン、クローズをより高速で行なうことのできる映像信号記録再生装置を提供することを目的とする。
【００１５】
【課題を解決するための手段】
本発明の第１の発明の映像信号記録方法は、入力された映像信号に対し圧縮処理を行い生成された圧縮ストリームと、前記映像信号と前記圧縮ストリームより生成された管理情報と、番組の基本単位であるオブジェクトを、記録媒体への記録の基本単位であるベースファイルに分割するための分割情報を、前記分割情報に基づき記録媒体に記録することを特徴とした映像信号記録方法である。
【００１６】
本発明の第２の発明の映像信号記録再生方法は、入力された映像信号に対し圧縮処理を行い生成された圧縮ストリームと、前記映像信号と前記圧縮ストリームより生成された管理情報と、番組の基本単位であるオブジェクトを、記録媒体への記録の基本単位であるベースファイルに分割するための分割情報を、前記分割情報に基づき記録媒体に記録するとともに、前記圧縮ストリーム、前記管理情報、及び前記分割情報より再生処理を行なうことを特徴とした映像信号記録再生方法である。
【００１７】
本発明の第３の発明の映像信号記録再生装置は、入力された映像信号に対し圧縮処理を行い圧縮ストリームを生成する符号化部と、前記映像信号と前記圧縮ストリームより管理情報を生成する管理情報生成部と、番組の基本単位であるオブジェクトを、記録媒体への記録の基本単位であるベースファイルに分割する分割情報を生成する分割情報生成部と、前記管理情報と前記分割情報と前記圧縮ストリームを前記分割情報に基づき記録媒体に記録する記録部と、前記記録媒体に記録された、前記圧縮ストリーム、前記管理情報、及び前記分割情報を取得する再生部と、前記圧縮ストリーム、前記管理情報、及び前記分割情報により再生処理を行なう復号化部を備えることを特徴とした映像信号記録再生装置である。
【００１８】
本発明の第４の発明の映像信号記録再生装置は、分割情報生成部において、ベースファイルのファイル名は、前記ベースファイル毎に設定されるファイルＩＤより一意的に決定され、前記ファイルＩＤは任意の範囲内で単調増加することを特徴とした請求項３記載の映像信号記録再生装置である。
【００１９】
本発明の第５の発明の映像信号記録再生装置は、分割情報生成部が、分割情報として、当該オブジェクトを構成しているベースファイルのうち先頭ベースファイルのファイルＩＤ、及び当該オブジェクトを構成しているベースファイルの総数を持つことを特徴とした請求項３記載の映像信号記録再生装置である。
【００２０】
本発明の第６の発明の映像信号記録再生装置は、分割情報生成部が、分割情報として、当該オブジェクトが有効となる先頭ベースファイルからの位置、及び当該オブジェクトを構成しているベースファイルのうち最終である最終ベースファイルからの位置を持つことを特徴とした請求項３記載の映像信号記録再生装置である。
【００２１】
本発明の第７の発明の映像信号記録再生装置は、記録部が、分割情報の記録用ファイルとして、第１の分割情報ファイルと第２の分割情報ファイルを用意し、前記第１の分割情報ファイルへの前記分割情報の記録において、バッファ内の全データを書き出し、続いてカウンタを記録し、続いてバッファ内の全データを書き出し、続いて分割情報を書き出し、続いて前記カウンタを記録し、前記第２の分割情報ファイルへの前記分割情報の記録において、バッファ内の全データを書き出し、続いてカウンタを記録し、続いてバッファ内の全データを書き出し、続いて分割情報を書き出し、続いて前記カウンタを記録し、再生部が、前記分割情報の読み込み時に、前記カウンタの値を比較し、読み込む分割情報ファイルを決定することを特徴とした請求項３記載の映像信号記録再生装置である。
【００２２】
本発明の第８の発明の映像信号記録再生装置は、符号化部が、入力された映像信号に対し圧縮処理を行い圧縮ストリームを生成し、前記圧縮ストリームに対し暗号化処理を行ない、記録媒体に記録する映像信号記録再生装置であって、映像ストリームに対する暗号化処理を行なうビット数をＢＶ、音声ストリームに対する暗号化処理を行なうビット数をＢＡとするとき、ＢＡ≧ＢＶであることを特徴とする映像信号記録再生装置である。
【００２３】
本発明の第９の発明の映像信号記録再生装置は、入力された映像信号に対し圧縮処理を行い圧縮ストリームを生成し、前記圧縮ストリームを記録媒体に記録する映像信号記録再生装置であって、前記圧縮ストリームをネットワーク経由で情報処理装置等で再生する系において、複製禁止であるオブジェクトを、複製可能であるオブジェクトとは異なる複製禁止用ディレクトリに記録し、前記複製禁止用ディレクトリを、前記ネットワークにおいてマウント処理を行なわないことを特徴とする請求項３記載の映像信号記録再生装置である。
【００２４】
【発明の実施の形態】
以下、本発明の実施の形態について図を用いて説明する。
【００２５】
（実施の形態１）
図１は本発明の第１の実施の形態の映像信号記録再生装置のブロック図、図２は記録媒体の管理情報のデータ構造図、図３はストリーム構成比較図である。図１において、１００は入力部、１０１は符号化部、１０２は管理情報生成部、１０３は分割情報生成部、１０４はデータ記録部、１０５は記録媒体、１０６はデータ再生部、１０７は復号化部、１０８は出力部である。記録媒体としては、ＨＤＤ（ハードディスクドライブ）を想定している。図２において１１０〜１１６は管理情報として記録されるデータである。
【００２６】
以上のように構成された本実施の形態の映像信号記録再生装置について、その動作を説明する。
【００２７】
入力部１００より入力された画像信号は符号化部１０１に入力される。
【００２８】
記録時において、符号化部１０１は入力画像に高能率符号化を行ない圧縮ストリーム、及び符号化情報を出力する。符号化情報は管理情報生成部１０２、及び分割情報生成部１０３に、圧縮ストリームはデータ記録部１０４にそれぞれ入力される。
【００２９】
管理情報生成部１０２は入力された符号化情報より管理情報を生成する。管理情報はデータ記録部１０４に入力される。
【００３０】
分割情報生成部１０３は入力された符号化情報、データ記録部１０４から入力された記録情報より、オブジェクトをベースファイルとよばれる小ファイルに分割するための分割情報を生成する。分割情報はデータ記録部１０４に入力される。
【００３１】
データ記録部１０４は入力された圧縮ストリーム、管理情報、及び分割情報を記録媒体１０５に記録する。このとき圧縮ストリームはベースファイル単位で記録される。さらに記録情報を出力する。記録情報は分割情報生成部１０３に入力される。
【００３２】
再生時において、データ再生部１０６は記録媒体１０５より管理情報、及び分割情報より読み込みの対象となるベースファイルを決定し、圧縮ストリームを読み出す。読み出した圧縮ストリーム、管理情報は復号化部１０７に入力される。復号化部１０７は入力された圧縮ストリーム、管理情報より復号化処理を行ない、再生画像を出力する。
【００３３】
再生画像は出力部１０８に入力され、出力部１０８は入力された再生画像を表示系にて表示する。
【００３４】
図２に示すように、本実施の形態の映像信号記録再生装置においては管理情報は１１０〜１１６の７つのファイルで構成されている。ＶＲ＿ＭＡＮＧＲ．ＩＦＯであるファイル１１０には映像ファイルの管理情報が記録されている。ＶＲ＿ＭＯＶＩＥ．ＶＲＯであるファイル１１１には動画の圧縮ストリームが記録されている。ＶＲ＿ＳＴＩＬＬ．ＶＲＯであるファイル１１２には静止画データが記録されている。ＶＲ＿ＡＵＤＩＯ．ＶＲＯであるファイル１１３にはアフレコ用の音声データが、ＶＲ＿ＭＡＮＧＲ．ＢＵＰであるファイル１１４にはＶＲ＿ＭＡＮＧＲ．ＩＦＯの内容がバックアップとして記録されている。さらにＳＴＲ＿ＤＩＶ．ＴＢＬであるファイル１１５にはオブジェクトのベースファイルへの分割情報が、ＳＴＲ＿ＤＩＶ．ＢＵＰであるファイル１１６にはＳＴＲ＿ＤＩＶ．ＴＢＬの内容がバックアップとして記録されている。
【００３５】
次に図３を用いて、本実施の形態と従来例であるＶＲフォーマットとのオブジェクトの扱い方の違いについて説明する。図３において、２００は記録媒体に記録されている全圧縮ストリームを表している。２１０、２１１は番組の基本単位であるオブジェクトを表しており、それぞれオブジェクト１、オブジェクト２である。本実施の形態では２つのオブジェクトが存在している。２２０〜２２４は記録の基本単位であるベースファイルを表しており、それぞれベースファイル１、ベースファイル２、ベースファイル３、ベースファイル４、ベースファイル５である。本実施の形態では５つのベースファイルが存在している。オブジェクト１はベースファイル１、２、３の３つのベースファイル、オブジェクト２はベースファイル４、５の２つのベースファイルから構成されており、この情報を分割情報と呼ぶ。ベースファイルのサイズはオブジェクトの最終ベースファイルを除き固定である。図３においては、ベースファイル１、２、及び４が固定サイズとなり、ベースファイル３、及び５はオブジェクトのサイズにより可変となる。
【００３６】
２３０はＶＲフォーマットにおける圧縮ストリームの見え方であり、ＶＲフォーマットでは１つのＶＲ＿ＭＯＶＩＥ．ＶＲＯファイルが存在している。２３１は本実施の形態における圧縮ストリームの見え方であり、本実施の形態では５つのベースファイルが存在している。なお、２３０、２３１ともに同じ圧縮ストリームを見ている。
【００３７】
本実施の形態に示すように、圧縮ストリームを小さなベースファイルに分割して記録することで、ファイルサイズ等の制限を受けることなく、記録媒体に任意のファイルシステムで記録することが可能となり、ＰＣ（パーソナルコンピュータ）等で採用されているファイルシステムで取り扱うことができる。さらにＨＤＤのようなシーク速度が高速な記録媒体に対しては記録レート制限を受けないため、ファイルのオープン、クローズがより高速で行なえるようになる。
【００３８】
（実施の形態２）
図４は本発明の第２の実施の形態の映像信号記録再生装置におけるオブジェクトのベースファイルへの分割情報を表す分割情報構成図、図５はオブジェクトに関する分割情報について説明したオブジェクト分割図である。図４において、３００、及び３１０〜３１３は分割情報全体の構成で、３２０〜３２２は記録媒体全体に関する分割情報で、「次に記録されるベースファイルのファイルＩＤ」、「次に記録されるオブジェクトのオブジェクトＩＤ」、「記録されているオブジェクトの総記録サイズ」の３つの情報が記録される。
【００３９】
３３０〜３３６はオブジェクトに関する分割情報で、「当該オブジェクトのオブジェクトＩＤ」、「当該オブジェクトを構成するベースファイルの総数」、「当該オブジェクトを構成する先頭ベースファイルのファイルＩＤ」、「当該オブジェクトの総記録サイズ」、「当該オブジェクトの先頭ベースファイルにおける有効位置」、「当該オブジェクトの最終ベースファイルにおける有効位置」、「当該オブジェクトが記録されているディレクトリ」の７つの情報が記録される。
【００４０】
図５において、４００はオブジェクト、４０１〜４０３はオブジェクトを構成するベースファイルであり、それぞれベースファイル１、ベースファイル２、ベースファイル３である。各ベースファイルには固有の名前がつけられており、本実施の形態ではそれぞれ、ＳＴＲ０００１、ＳＴＲ０００２、ＳＴＲ０００３としている。ベースファイル名は各ベースファイル毎に設定されるファイルＩＤにより一意的に決定される。この場合のファイルＩＤは１、２、３である。ファイルＩＤは任意の範囲内で単調増加する。本実施の形態のオブジェクトは３つのベースファイルから構成されており、オブジェクトに対する分割情報としては「ＳＴＲ０００１」、「ＳＴＲ０００２」、「ＳＴＲ０００３」というファイル名の情報が必要であるが、ファイル名のファイルＩＤから生成することで、「１」、「２」、「３」の情報で各ベースファイルを一意的に決定することが出来るようになる。
【００４１】
あるいは、オブジェクトに対する分割情報として「オブジェクトを構成するベースファイルのうち、先頭ベースファイルのファイルＩＤ（本実施の形態では１）」、及び「オブジェクトを構成するベースファイルの個数（本実施の形態では３）」の２つの情報で各ベースファイルを一意的に決定することも出来る。
【００４２】
本実施の形態に示すように、圧縮ストリームを小さなベースファイルに分割して記録し、かつベースファイル名を単調増加するファイルＩＤより決定することで、分割情報の増加を抑えることが可能となる。
【００４３】
（実施の形態３）
図５は本発明の第３の実施の形態の映像信号記録再生装置におけるオブジェクトに関する分割情報について説明したオブジェクト分割図である。図５において、４００はオブジェクト、４０１〜４０３はオブジェクトを構成するベースファイルであり、それぞれベースファイル１、ベースファイル２、ベースファイル３である。各ベースファイルには固有の名前がつけられており、本実施の形態ではそれぞれ、ＳＴＲ０００１、ＳＴＲ０００２、ＳＴＲ０００３としている。ベースファイル名は各ベースファイル毎に設定されるファイルＩＤにより一意的に決定される。この場合のファイルＩＤは１、２、３である。４１０はオブジェクトを構成する３つのベースファイルのうち、先頭のベースファイルであるＳＴＲ０００１内においてオブジェクトが有効となる位置をＳＴＲ０００１先頭からのサイズで示したものである。４１１はオブジェクトを構成する３つのベースファイルのうち、最終のベースファイルであるＳＴＲ０００３内においてオブジェクトが有効である位置をＳＴＲ０００３先頭からのサイズで示したものである。ファイルの部分削除を行なうことができないファイルシステムにおいては、オブジェクト前方削除や後方削除等の編集を行なう場合、ファイルのコピー処理が発生していた。これにより処理時間の増加や、記録媒体のリソース不足を招いていた。
【００４４】
本実施の形態に示すように圧縮ストリームを小さなベースファイルに分割して記録し、分割情報として当該オブジェクトが有効となる前記先頭ベースファイルからの位置、及び当該オブジェクトを構成しているベースファイルのうち最終である最終ベースファイルからの位置を持つことで、システム負荷を増大させることなくオブジェクトの編集を行なうことが可能となる。
【００４５】
（実施の形態４）
図６は本発明の第４の実施の形態の映像信号記録再生装置における分割情報ファイル、及び管理情報ファイルの蓄積媒体への記録方法を示したファイル記録方法図である。図６において、５００、５０３、５０４、及び５０７はカウンタであり、いずれも同じ値を持つ。５０１、５０５は分割情報であり、いずれも同じデータである。５０２、５０６はナビゲーションデータであり、いずれも同じデータである。５１０は記録媒体への、管理情報ファイル、分割情報ファイルの記録の順番を示す。
【００４６】
以上のように構成された本実施の形態の映像信号記録再生装置について、その動作を説明する。
【００４７】
記録時は以下の手順で記録を行なう。まずバッファ内データをフラッシュする。Ｌｉｎｕｘではｓｙｎｃ（）をコールする。続いてカウンタ５０１をＳＴＲ＿ＤＩＶ．ＴＢＬファイルに記録する。その後バッファ内データをフラッシュする。続いて分割情報５０１をＳＴＲ＿ＤＩＶ．ＴＢＬファイルに記録する。その後バッファ内データをフラッシュする。続いてナビゲーションデータ５０２をＶＲ＿ＭＡＮＧＲ．ＩＦＯファイルに記録する。続いてカウンタ５０１をＶＲ＿ＭＡＮＧＲ．ＩＦＯファイルに記録する。その後バッファ内データをフラッシュする。
【００４８】
次にバックアップファイルの記録を行なう。まずバッファ内データをフラッシュする。Ｌｉｎｕｘではｓｙｎｃ（）をコールする。続いてカウンタ５０４をＳＴＲ＿ＤＩＶ．ＢＵＰファイルに記録する。その後バッファ内データをフラッシュする。続いて分割情報５０５をＳＴＲ＿ＤＩＶ．ＢＵＰファイルに記録する。その後バッファ内データをフラッシュする。続いてナビゲーションデータ５０６をＶＲ＿ＭＡＮＧＲ．ＢＵＰファイルに記録する。続いてカウンタ５０７をＶＲ＿ＭＡＮＧＲ．ＢＵＰファイルに記録する。その後バッファ内データをフラッシュする。
【００４９】
これによりＳＴＲ＿ＤＩＶ．ＴＢＬとＶＲ＿ＭＡＮＧＲ．ＩＦＯについては、ＳＴＲ＿ＤＩＶ．ＴＢＬ先頭に記録されているカウンタとＶＲ＿ＭＡＮＧＲ．ＩＦＯ後方に記録されているカウンタの値を比較することで、各ファイルの内容が正常に記録されたか否かの判断を行なうことができる。同様にＳＴＲ＿ＤＩＶ．ＢＵＰとＶＲ＿ＭＡＮＧＲ．ＢＵＰについても、ＳＴＲ＿ＤＩＶ．ＢＵＰ先頭に記録されているカウンタとＶＲ＿ＭＡＮＧＲ．ＢＵＰ後方に記録されているカウンタの値を比較することで、各ファイルの内容が正常に記録されたか否かの判断を行なうことができる。
【００５０】
再生時は、まずＳＴＲ＿ＤＩＶ．ＴＢＬ先頭のカウンタとＶＲ＿ＭＡＮＧＲ．ＩＦＯ後方のカウンタの値を比較し、２つのカウンタの値が一致していればＳＴＲ＿ＤＩＶ．ＴＢＬとＶＲ＿ＭＡＮＧＲ．ＩＦＯの情報を用いる。一致していなければＳＴＲ＿ＤＩＶ．ＢＵＰ先頭のカウンタとＶＲ＿ＭＡＮＧＲ．ＢＵＰ後方のカウンタの値を比較し、２つのカウンタの値が一致していればＳＴＲ＿ＤＩＶ．ＢＵＰとＶＲ＿ＭＡＮＧＲ．ＢＵＰの情報を用いる。一致していなければ初期値を用いる。
【００５１】
本実施の形態に示すように、分割ファイル、及び管理情報ファイルにカウンタを付加することで、記録が正常に行なわれたか否かを判断することが可能となる。
【００５２】
（実施の形態５）
以下に、本発明の第５の実施の形態である映像信号再生装置を図１を用いて説明する。
【００５３】
本実施の形態では、符号化部１０１は圧縮ストリームに対し暗号化を行なうが、音声ストリームには映像ストリームより多くのビットに対し暗号化を行なう。
【００５４】
これにより、システム負荷の増加を抑え、効率的に圧縮ストリームの暗号化を行なうことが可能となる。
【００５５】
（実施の形態６）
以下に、本発明の第６の実施の形態である映像信号記録再生装置を図７のブロック図を用いて説明する。図７において、６００は入力部、６０１は符号化部、６０２は管理情報生成部、６０３は分割情報生成部、６０４はデータ記録部、６０５は記録媒体、６０６はデータ再生部、６０７は復号化部、６０８は出力部、６０９はネットワーク経由で接続されるＰＣ、６１０は記録媒体内のファイル、６１１はＰＣからネットワーク経由で見える記録媒体内のファイルである。
【００５６】
以上のように構成された本実施の形態の映像信号記録再生装置について、その動作を説明する。
【００５７】
入力部６００より入力された画像信号は符号化部６０１に入力される。
【００５８】
記録時において、符号化部６０１は入力画像に高能率符号化を行ない圧縮ストリーム、及び符号化情報を出力する。符号化情報は管理情報生成部６０２、及び分割情報生成部６０３に、圧縮ストリームはデータ記録部６０４にそれぞれ入力される。
【００５９】
管理情報生成部６０２は入力された符号化情報より管理情報を生成する。管理情報は記録部６０４に入力される。
【００６０】
分割情報生成部６０３は入力された符号化情報、データ記録部６０４から入力された記録情報より、オブジェクトをベースファイルとよばれる小ファイルに分割するための分割情報を生成する。分割情報はデータ記録部６０４に入力される。
【００６１】
データ記録部６０４は入力された圧縮ストリーム、管理情報、及び分割情報を記録媒体６０５に記録する。このときコピー可能な圧縮ストリームはコピー可能ディレクトリに、コピー禁止の圧縮ストリームはコピー禁止ディレクトリに記録する。本実施の形態ではコピー可能ディレクトリをｄｉｒ１、コピー禁止ディレクトリをｄｉｒ２としている。ｄｉｒ１にはオブジェクト１、オブジェクト２、オブジェクト３の３つのオブジェクトが、ｄｉｒ２にはオブジェクト４、オブジェクト５の２つのオブジェクトが記録されている。ネットワーク経由で接続されたＰＣに対しては、コピー禁止用ディレクトリをマウントしないことで、ＰＣでのコピー禁止ストリームの再生を禁止することができる。
【００６２】
本実施の形態に示すように、コピー禁止ストリームをコピー禁止用ディレクトリに記録し、同ディレクトリをネットワーク接続されたＰＣから見えなくすることで、著作権の保護が可能となる。
【００６３】
【発明の効果】
本発明の映像信号記録再生方法及び映像信号記録再生装置は、圧縮ストリームを小さなベースファイルに分割して記録することで、ファイルサイズ等の制限を受けることなく、記録媒体に任意のファイルシステムで記録することが可能となる。さらにファイルのオープン、クローズがより高速で行なわれるようになる。
【００６４】
また、圧縮ストリームを小さなベースファイルに分割して記録し、かつベースファイル名を単調増加するファイルＩＤより決定することで、分割情報の増加を抑えることが可能となる。
【００６５】
また、分割情報として当該オブジェクトが有効となる前記先頭ベースファイルからの位置、及び当該オブジェクトを構成しているベースファイルのうち最終である最終ベースファイルからの位置を持つことで、システム負荷を増大させることなくオブジェクトの編集を行なうことが可能となる。
【００６６】
また、分割ファイル、及び管理情報ファイルにカウンタを付加することで、記録が正常に行なわれたか否かを判断することが可能となる。
【００６７】
また、音声ストリームには映像ストリームより多くのビットに対し暗号化を行うことで、システム負荷の増加を抑え、効率的に圧縮ストリームの暗号化を行なうことが可能となる。
【００６８】
また、コピー禁止ストリームをコピー禁止用ディレクトリに記録し、同ディレクトリをネットワーク接続されたＰＣから見えなくすることで、著作権の保護が可能となる。
【図面の簡単な説明】
【図１】本発明の第１、第５の実施の形態の映像信号記録再生装置のブロック図
【図２】本発明の第１の実施の形態の映像信号記録再生装置のデータ構造図
【図３】従来方式と本発明の圧縮ストリームの見え方の違いを示したストリーム構成比較図
【図４】本発明の第２の実施の形態の映像信号記録再生装置におけるオブジェクトのベースファイルへの分割情報を示した分割情報構成図
【図５】本発明の第２の実施の形態の映像信号記録再生装置におけるオブジェクトに関する分割情報について説明したオブジェクト分割図
【図６】本発明の第４の実施の形態の映像信号記録再生装置における管理情報ファイル、分割情報ファイルの記録方法を示したファイル記録方法図
【図７】本発明の第６の実施の形態の映像信号記録再生装置のブロック図
【図８】従来の映像信号記録再生装置のブロック図
【図９】従来のＤＶＤディスクの管理情報のデータ構造図
【符号の説明】
１００、６００  入力部
１０１、６０１  符号化部
１０２、６０２  管理情報生成部
１０３、６０３  分割情報生成部
１０４、６０４  データ記録部
１０５、６０５  記録媒体
１０６、６０６  データ再生部
１０７、６０７  復号化部
１０８、６０８  出力部
１１０  ＶＲ＿ＭＡＮＧＲ．ＩＦＯ（ナビゲーションデータファイル）
１１１  ＶＲ＿ＭＯＶＩＥ．ＶＲＯ（動画データ）
１１２  ＶＲ＿ＳＴＩＬＬ．ＶＲＯ（静止画データ）
１１３  ＶＲ＿ＡＵＤＩＯ．ＶＲＯ（音声データ）
１１４  ＶＲ＿ＭＡＮＧＲ．ＢＵＰ（ナビゲーションデータファイルのバックアップ）
１１５  ＳＴＲ＿ＤＩＶ．ＴＢＬ（オブジェクトのベースファイルへの分割情報）
１１６  ＳＴＲ＿ＤＩＶ．ＢＵＰ（オブジェクトのベースファイルへの分割情報のバックアップ）
２００  記録媒体に記録されている全圧縮ストリーム
２１０、２１１  記録媒体に記録されているオブジェクト
２２０、２２１、２２２  オブジェクト１を構成するベースファイル
２２３、２２４  オブジェクト２を構成するベースファイル
２３０  ＶＲフォーマットにおける圧縮ストリームの見え方
２３１  本発明における圧縮ストリームの見え方
３００  オブジェクトのベースファイルへの分割情報
３１０  全体の分割情報
３１１  オブジェクト１の分割情報
３１２  オブジェクト２の分割情報
３１３  オブジェクトｎの分割情報
３２０、３２１、３２２、３３０、３３１、３３２、３３３、３３４、３３５、３３６  分割情報
４００  オブジェクト
４０１、４０２、４０３  オブジェクトを構成するベースファイル
４１０  オブジェクトが有効となる先頭ベースファイル先頭からの位置
４１１  オブジェクトが有効である最終ベースファイル先頭からの位置
５００、５０３、５０４、５０７  カウンタ
５０１、５０５  オブジェクトのベースファイルへの分割情報
５０２、５０６  ナビゲーションデータ
５１０  管理情報ファイル、分割情報ファイルの記録の順番
６０９  ネットワーク経由で接続されるＰＣ
６１０  本発明におけるディレクトリ構造
６１１  ＰＣから見えるディレクトリ
【図１】
2004172813.tif 000003
【図２】
2004172813.tif 000004
【図３】
2004172813.tif 000005
【図４】
2004172813.tif 000006
【図５】
2004172813.tif 000007
【図６】
2004172813.tif 000008
【図７】
2004172813.tif 000009
【図８】
2004172813.tif 000010
【図９】
2004172813.tif 000011